【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
複数の電極が上面に設けられた基板と、
前記基板上に導電性接着剤により接合されたコンデンサ素子と、
前記コンデンサ素子上に導電性接着剤を用いて搭載された圧電共振素子とを備え、
前記コンデンサ素子が、誘電体基板と、誘電体基板の下面に設けられた共通電極と、前記誘電体基板を介して前記共通電極と対向するように誘電体基板の上面に設けられた複数の容量電極とを有し、
前記容量電極が、誘電体基板の端面から下面に至るように延長されている電極延長部を有し、容量電極の電極延長部及び共通電極が、それぞれ、前記導電性接着剤により基板上の前記複数の電極に電気的に接続されており、
前記圧電共振素子が、圧電基板と、圧電基板の上面及び下面において部分的に形成されており、かつ圧電基板を介して対向するように設けられた第１，第２の振動電極とを有し、該第１，第２の振動電極が対向している部分がエネルギー閉じ込め型の振動部を構成しており、
振動部の下方であって、前記コンデンサ素子の共通電極と、基板の電極とを電気的に接続している導電性接着剤が配置される部分に前記誘電体基板の下面に凹部が形成されており、かつ前記共通電極が前記凹部内に至るように形成されていることを特徴とする、圧電共振部品。
【請求項２】
複数の電極が上面に設けられた基板と、
前記基板上に導電性接着剤により接合されたコンデンサ素子と、
前記コンデンサ素子上に導電性接着剤を用いて搭載された圧電共振素子とを備え、
前記コンデンサ素子が、誘電体基板と、誘電体基板の下面に設けられた共通電極と、前記誘電体基板を介して前記共通電極と対向するように誘電体基板の上面に設けられた複数の容量電極とを有し、
前記容量電極が、誘電体基板の端面から下面に至るように延長されている電極延長部を有し、容量電極の電極延長部及び共通電極が、それぞれ、前記導電性接着剤により基板上の前記複数の電極に電気的に接続されており、
前記圧電共振素子が、圧電基板と、圧電基板の上面及び下面において部分的に形成されており、かつ圧電基板を介して対向するように設けられた第１，第２の振動電極とを有し、該第１，第２の振動電極が対向している部分がエネルギー閉じ込め型の振動部を構成しており、
振動部の下方であって、前記コンデンサ素子の共通電極と、基板の電極とを電気的に接続している導電性接着剤が配置される部分に前記誘電体基板の下面に凹部が形成されており、
前記凹部が、誘電体基板の対向し合う一対の側面から幅方向中央に延ばされた一対の切欠部を有し、該一対の切欠部間に、誘電体基板の残りの下面部分に連ねられている平坦部が設けられており、
前記共通電極が前記平坦部上に至っていることを特徴とする、圧電共振部品。
【請求項３】
前記凹部が、前記誘電体基板の下面の全幅に至るように設けられている、請求項１に記載の圧電共振部品。
【請求項４】
前記凹部が、底部と、底部の両側から誘電体基板の下面に連ねられている一対の傾斜面部とを有し、該一対の傾斜面部が、誘電体基板の下面に至るに連れて、互いに遠ざかるように傾斜されており、前記共通電極が、該凹部から凹部に連なる誘電体基板の下面部分に至るように設けられている、請求項１に記載の圧電共振部品。
【請求項５】
前記基板に取り付けられており、下方に開口を有するケースをさらに備え、前記基板と前記ケースとにより構成されている封止空間内に、前記コンデンサ素子及び圧電共振素子が封止されている、請求項１〜４のいずれか１項に記載の圧電共振部品。
【手続補正２】
【補正対象書類名】明細書
【補正対象項目名】００２０
【補正方法】変更
【補正の内容】
【００２０】
本願の第１の発明に係る圧電共振部品は、複数の電極が上面に設けられた基板と、前記基板上に導電性接着剤により接合されたコンデンサ素子と、前記コンデンサ素子上に導電性接着剤を用いて搭載された圧電共振素子とを備え、前記コンデンサ素子が、誘電体基板と、誘電体基板の下面に設けられた共通電極と、前記誘電体基板を介して前記共通電極と対向するように誘電体基板の上面に設けられた複数の容量電極とを有し、前記容量電極が、誘電体基板の端面から下面に至るように延長されている電極延長部を有し、容量電極の電極延長部及び共通電極が、それぞれ、前記導電性接着剤により基板上の前記複数の電極に電気的に接続されており、前記圧電共振素子が、圧電基板と、圧電基板の上面及び下面において部分的に形成されており、かつ圧電基板を介して対向するように設けられた第１，第２の振動電極とを有し、該第１，第２の振動電極が対向している部分がエネルギー閉じ込め型の振動部を構成しており、振動部の下方であって、前記コンデンサ素子の共通電極と、基板の電極とを電気的に接続している導電性接着剤が配置される部分に前記誘電体基板の下面に凹部が形成されており、かつ前記共通電極が前記凹部内に至るように形成されていること特徴とする。
本願の第２の発明は、複数の電極が上面に設けられた基板と、前記基板上に導電性接着剤により接合されたコンデンサ素子と、前記コンデンサ素子上に導電性接着剤を用いて搭載された圧電共振素子とを備え、前記コンデンサ素子が、誘電体基板と、誘電体基板の下面に設けられた共通電極と、前記誘電体基板を介して前記共通電極と対向するように誘電体基板の上面に設けられた複数の容量電極とを有し、前記容量電極が、誘電体基板の端面から下面に至るように延長されている電極延長部を有し、容量電極の電極延長部及び共通電極が、それぞれ、前記導電性接着剤により基板上の前記複数の電極に電気的に接続されており、前記圧電共振素子が、圧電基板と、圧電基板の上面及び下面において部分的に形成されており、かつ圧電基板を介して対向するように設けられた第１，第２の振動電極とを有し、該第１，第２の振動電極が対向している部分がエネルギー閉じ込め型の振動部を構成しており、振動部の下方であって、前記コンデンサ素子の共通電極と、基板の電極とを電気的に接続している導電性接着剤が配置される部分に前記誘電体基板の下面に凹部が形成されており、前記凹部が、誘電体基板の対向し合う一対の側面から幅方向中央に延ばされた一対の切欠部を有し、該一対の切欠部間に、誘電体基板の残りの下面部分に連ねられている平坦部が設けられており、前記共通電極が前記平坦部上に至っていることを特徴とする。
【手続補正３】
【補正対象書類名】明細書
【補正対象項目名】００２１
【補正方法】変更
【補正の内容】
【００２１】
第１の発明に係る圧電共振部品のある特定の局面では、前記凹部が、誘電体基板の対向し合う一対の側面から幅方向中央に延ばされた一対の切欠部を有し、該一対の切欠部間に、誘電体基板の残りの下面部分に連ねられている平坦部が設けられている。
【手続補正４】
【補正対象書類名】明細書
【補正対象項目名】００２２
【補正方法】変更
【補正の内容】
【００２２】
第１の発明に係る圧電共振部品のさらに他の特定の局面では、前記凹部が、前記誘電体基板の下面の全幅に至るように設けられている。
【手続補正５】
【補正対象書類名】明細書
【補正対象項目名】００２３
【補正方法】変更
【補正の内容】
【００２３】
第１の発明に係る圧電共振部品のさらに別の特定の局面では、前記凹部が、底部と、底部の両側から誘電体基板の下面に連ねられている一対の傾斜面部とを有し、該一対の傾斜面部が、誘電体基板の下面に至るに連れて、互いに遠ざかるように傾斜されており、前記共通電極が、該凹部から凹部に連なる誘電体基板の下面部分に至るように設けられている。